(57)【要約】【課題】福祉機器のパイプフレーム、特にコンター部（曲げ加工部）の塗装の剥がれ、傷やへこみ等の変形を防ぐ保護具を提供すること。【解決手段】略円筒形状で両端に開口面を有した中空のゴム製部材に、開口面の外周の一部に設けた切り欠きを他方の開口面の外周まで延長させた開口部を設け、側面からみた開口部が円弧形状になるようにゴム製部材を両端の開口面間で湾曲させ、開口面の切り欠きから近い部位の径を切り欠きから遠い部位の径よりも小さくする。リング形状で外周の一部に開口部を有した補強部材をゴム製部材の内周に接するように開口面近傍に設け、補強部材の内周表面の位置をゴム製部材の内周表面と同一またはゴム製部材の内周表面よりも外周側になるように設ける。【選択図】図１
2016067865.tif 000002
【特許請求の範囲】
【請求項１】
略円筒形状で両端に開口面を有した中空のゴム製部材に、開口面の外周の一部に設けた切り欠きを他方の開口面の外周まで延長させた開口部を設け、側面からみた開口部が円弧形状になるようにゴム製部材を両端の開口面間で湾曲させたことを特徴とする、福祉機器のパイプフレーム保護具。
【請求項２】
開口面の切り欠きから近い部位の径を切り欠きから遠い部位の径よりも小さくしたことを特徴とする、請求項１記載の福祉機器のパイプフレーム保護具。
【請求項３】
開口面の切り欠き近傍の縁のゴム製部材の肉厚を厚くしたことを特徴とする、請求項１または２記載の福祉機器のパイプフレーム保護具。
【請求項４】
リング形状で外周の一部に開口部を有した補強部材をゴム製部材の内周に接するように設けたことを特徴とする、請求項１乃至３のいずれか１項に記載の福祉機器のパイプフレーム保護具。
【請求項５】
補強部材を開口面近傍に設けたことを特徴とする、請求項４記載の福祉機器のパイプフレーム保護具。
【請求項６】
補強部材の内周表面の位置をゴム製部材の内周表面と同一またはゴム製部材の内周表面よりも外周側になるように設けたことを特徴とする、請求項４または５記載の福祉機器のパイプフレーム保護具。
【請求項７】
補強部材の開口部の幅を開口面の切り欠きの幅よりも広くしたことを特徴とする、請求項４乃至６のいずれか１項に記載の福祉機器のパイプフレーム保護具。
【発明の詳細な説明】
【技術分野】
【０００１】本発明は福祉機器を構成するパイプフレーム、特にコンター部（曲げ加工部）の保護具に関するものであり、パイプフレームの塗装の剥がれ、傷やへこみ等の変形を防ぐようにするだけでなく、パイプフレームに強固に装着される保護具を提供するものである。
【背景技術】
【０００２】福祉機器、例えば一人で歩くことが困難な方が押しながら歩くことで歩行を補助する歩行補助器は、強度を保ちかつ軽量化をはかるために、金属製の中空パイプを使用したパイプフレームにより構成されることが多い。
歩行補助器は医療機関や介護施設等において使用される際に、パイプベッド等の金属部位にぶつかる、擦れる等の接触をすることが多い。医療機関や介護施設内にはパイプベッド以外にもドアのフレーム等の金属部位が多いため、歩行補助器が金属部位に接触することは非常に多い。
パイプフレームは材質の保護及び意匠の観点から表面に塗装をしているが、金属部位に接触することで塗装の剥がれ、傷やへこみ等の変形が生じるため、塗装の上塗り、傷やへこみ等の補修を行うことになる。
歩行補助器はレンタル商品として貸し出されることも多く、貸し出し業者としては外観に問題のないきれいな商品を貸し出しする必要があり、塗装の上塗り、傷やへこみ等の補修に要する時間、コストは削減したい事情がある。
以上から、金属部位に接触することによる福祉機器のパイプフレームの塗装の剥がれ、傷やへこみ等の変形を防ぐように保護することが求められている。【０００３】配管、配線を傷やへこみ等の変形から保護する手段としては、例えば以下がある。【０００４】円筒形状の貫通部内を貫通している建築用の配管、配線を保護する手段の例ではあるが、周方向の両端を重ね合わせ、重ね合わせた上の端の垂直方向上部を外側に折り曲げて突片とし、突片の先端を鋭く加工した円筒形状部材を、貫通部の内周に接するように挿入する手段がある（特許文献１参照）。【０００５】同様に、垂直方向に設置された柱に対し水平方向に設けた貫通部内を貫通している建築用の配管、配線を保護する手段の例ではあるが、平板の水平方向にスリットをいれて垂直方向の高さが同じになるような突起を複数設け、平板を貫通部の径に合わせて円筒形状の円筒形状部材として挿入し、円筒形状部材が外周の突起により貫通部から抜けないようにする手段もある（特許文献２参照）。
【先行技術文献】
【特許文献】
【０００６】
【特許文献１】特許第３２９１２３６号  公報
【特許文献２】特開２００２−２４７７３６号  公報
【非特許文献】
【０００７】
【非特許文献１】タキゲン総合カタログＮｏ．２３  Ｐ１２５１
【非特許文献２】ＭＩＳＵＭＩ  ＦＡメカニカル標準部分総合カタログＮｏ．２−３９８
【発明の概要】
【発明が解決しようとする課題】
【０００８】前記のように、金属部位に接触することによる福祉機器のパイプフレームの塗装の剥がれ、傷やへこみ等の変形を防ぐように保護することが求められている。
特にコンター部（曲げ加工部）は塗装の剥がれ、傷やへこみ等の変形が起こりやすい。
例えば歩行補助器の前輪に接続されるパイプフレームのコンター部がある。
特許文献１や２に記載の建築用の配管、配線の保護手段は配管、配線が貫通している貫通部を活用するものであり、貫通部がない福祉機器のパイプフレームには適用できない。【０００９】以上から、福祉機器のパイプフレーム、特にコンター部（曲げ加工部）の塗装の剥がれ、傷やへこみ等の変形を防ぐ保護具を提供することが課題である。
【課題を解決するための手段】
【００１０】上記課題を解決するために、本発明に係る福祉機器のパイプフレーム保護具は以下の手段を有する。【００１１】第１の手段として、略円筒形状で両端に開口面を有した中空のゴム製部材に、開口面の外周の一部に設けた切り欠きを他方の開口面の外周まで延長させた開口部を設け、側面からみた開口部が円弧形状になるようにゴム製部材を両端の開口面間で湾曲させたことを特徴とする。【００１２】第２の手段として、開口面の切り欠きから近い部位の径を切り欠きから遠い部位の径よりも小さくしたことを特徴とする。【００１３】第３の手段として、開口面の切り欠き近傍の縁のゴム製部材の肉厚を厚くしたことを特徴とする。【００１４】第４の手段として、リング形状で外周の一部に開口部を有した補強部材をゴム製部材の内周に接するように設けたことを特徴とする。【００１５】第５の手段として、補強部材を開口面近傍に設けたことを特徴とする。【００１６】第６の手段として、補強部材の内周表面の位置をゴム製部材の内周表面と同一またはゴム製部材の内周表面よりも外周側になるように設けたことを特徴とする。【００１７】第７手段として、補強部材の開口部の幅を開口面の切り欠きの幅よりも広くしたことを特徴とする。
【発明の効果】
【００１８】本発明の請求項１に係る福祉機器のパイプフレーム保護具によれば、略円筒形状で両端に開口面を有した中空のゴム製部材に、開口面の外周の一部に設けた切り欠きを他方の開口面の外周まで延長させた開口部を設け、側面からみた開口部が円弧形状になるようにゴム製部材を両端の開口面間で湾曲させたことで、パイプフレームのコンター部に対して福祉機器のパイプフレーム保護具を、開口部を広げながらコンター部の形状（曲がり具合）に合わせて装着することができる。かつゴム製部材の弾性を利用した密着性により、福祉機器のパイプフレーム保護具をコンター部に強固に装着することができる。
よって福祉機器のパイプフレーム保護具を装着することで、福祉機器が金属部位に接触してもパイプフレームのコンター部の塗装の剥がれ、傷やへこみ等の変形を防ぐことができる。【００１９】本発明の請求項２に係る福祉機器のパイプフレーム保護具によれば、開口面の切り欠きから近い部位の径を切り欠きから遠い部位の径よりも小さくしたことで、開口面の切り欠きから近い部位は切り欠きから遠い部位より強固にコンター部に装着することができる。
よって請求項１に係る福祉機器のパイプフレーム保護具よりも更に、福祉機器が金属部位に接触してもパイプフレームのコンター部の塗装の剥がれ、傷やへこみ等の変形を防ぐことができる。かつコンター部からの脱落を防ぐことができる。【００２０】本発明の請求項３に係る福祉機器のパイプフレーム保護具によれば、開口面の切り欠き近傍の縁のゴム製部材の肉厚を厚くしたことで、コンター部からの脱落を防ぐことができる。
よって請求項１または２に係る福祉機器のパイプフレーム保護具よりも更に、コンター部からの脱落を防ぐことができる。【００２１】本発明の請求項４に係る福祉機器のパイプフレーム保護具によれば、リング形状で外周の一部に開口部を有した補強部材をゴム製部材の内周に接するように設けたことで、補強部材の弾性を利用した密着性により、ゴム製部材をコンター部に、より強固に装着することができる。
よって請求項１乃至３のいずれか１項に係る福祉機器のパイプフレーム保護具よりも更に、福祉機器が金属部位に接触してもパイプフレームのコンター部の塗装の剥がれ、傷やへこみ等の変形を防ぐことができる。かつコンター部からの脱落を防ぐことができる。【００２２】本発明の請求項５に係る福祉機器のパイプフレーム保護具によれば、補強部材を開口面近傍に設けたことで、ゴム製部材の開口部の端がコンター部に、より強固に装着することができる。特に両端の開口面近傍に設けることで、ゴム製部材の開口部の両端がコンター部に、より強固に装着することができる。
よって請求項４に係る福祉機器のパイプフレーム保護具よりも更に、福祉機器が金属部位に接触してもパイプフレームのコンター部の塗装の剥がれ、傷やへこみ等の変形を防ぐことができる。かつコンター部からの脱落を防ぐことができる。【００２３】本発明の請求項６に係る福祉機器のパイプフレーム保護具によれば、補強部材の内周表面の位置をゴム製部材の内周表面と同一またはゴム製部材の内周表面よりも外周側になるように設けたことで、ゴム製部材の弾性を利用した密着性をより高められるため、ゴム製部材をコンター部に、より強固に装着することができる。
よって請求項４または５に係る福祉機器のパイプフレーム保護具よりも更に、福祉機器が金属部位に接触してもパイプフレームのコンター部の塗装の剥がれ、傷やへこみ等の変形を防ぐことができる。かつコンター部からの脱落を防ぐことができる。【００２４】本発明の請求項７に係る福祉機器のパイプフレーム保護具によれば、補強部材の開口部の幅を開口面の切り欠きの幅よりも広くしたことで、福祉機器のパイプフレーム保護具をコンター部に装着する際に開口部を広げることが容易になるため作業性向上をはかることができる。
よって請求項４乃至６のいずれか１項に係る福祉機器のパイプフレーム保護具よりも更に、コンター部に装着する際の作業性向上をはかることができる。
【図面の簡単な説明】
【００２５】
【図１】本発明に係る福祉機器のパイプフレーム保護具の正面図及び補強部材の平面図である。
【図２】本発明に係る福祉機器のパイプフレーム保護具の左側面図及び補強部材の内周表面の位置を表す拡大図である。
【図３】本発明に係る福祉機器のパイプフレーム保護具を歩行補助器のコンター部へ装着した状態を表す図（写真）である。
【図４】歩行補助器のパイプフレームのコンター部の例を表す図（写真）である。
【図５】図４におけるコンター部の拡大図であり塗装の剥がれ及び傷を表す図（写真）である。
【発明を実施するための形態】
【００２６】以下、本発明に係る福祉機器のパイプフレーム保護具の実施の形態を図１〜５に基づいて説明する。
【００２７】なお、本記載は特許請求の範囲を示した例であり、特許請求の範囲を本記載に限定することを意味するものではない。
【００２８】図４は歩行補助器のパイプフレームのコンター部の例を表す図（写真）である。
図に示すように、歩行補助器１１は強度を保ちかつ軽量化をはかるために、金属製の中空パイプを使用したパイプフレーム１１Ａから構成されている。
パイプフレーム１１Ａは曲げ加工を施したコンター部１１Ａ１を有する場合があり、図では前輪１１Ｂに接続され垂直方向に伸びる部位にコンター部１１Ａ１を有している（破線の円の部位）。
【００２９】歩行補助器１１は一人で歩くことが困難な方が押しながら歩くことで歩行を補助するものであるため、医療機関や介護施設等において使用されることが多い。
その際、パイプベッド等の金属部位にぶつかる、擦れる等の接触をすることが多い。医療機関や介護施設内にはパイプベッド以外にもドアのフレーム等の金属部位が多いため、歩行補助器が金属部位に接触することは非常に多い。
パイプフレーム１１Ａは材質の保護及び意匠の観点から表面に塗装をしているが、金属部位に接触することで塗装の剥がれ、傷やへこみ等の変形が生じるため、塗装の上塗り、傷やへこみ等の補修を行うことになる。
図５は図４におけるコンター部の拡大図であり塗装の剥がれ及び傷を表す図（写真）である。
（ａ）における塗装の剥がれ及び傷１１Ｃは大きく上下に２箇所あり、上は塗装が剥がれ金属の表面が露出しており傷となっている状態、下は塗装が薄く剥がれた状態を示している。
（ｂ）における塗装の剥がれ及び傷１１Ｃは、塗装が薄く直線状に剥がれた状態を示している。
前記のように、福祉機器のパイプフレーム１１Ａ、特にコンター部（曲げ加工部）１１Ａ１の塗装の剥がれ、傷やへこみ等の変形を防ぐ保護具を提供することが課題である。
【００３０】図１は本発明に係る福祉機器のパイプフレーム保護具の正面図及び補強部材の平面図であり、図２は本発明に係る福祉機器のパイプフレーム保護具の左側面図及び補強部材の内周表面の位置を表す拡大図である。
【００３１】図１（ａ）は本発明に係る福祉機器のパイプフレーム保護具の正面図、図２（ａ）は本発明に係る福祉機器のパイプフレーム保護具の左側面図である。
図１（ａ）、図２（ａ）に示すように、福祉機器のパイプフレーム保護具１はゴム製部材２と補強部材３から構成される。
図１（ａ）に示すように、ゴム製部材２は中空の略円筒形状で両端に開口面２Ｃを有している。
ゴム製部材２の材質として好ましいのは比重が最も軽いＥＰＤＭであり、好ましい硬度は８０である。これにより自重による落下を防ぐことができる。なお材質はこれに限定されるものではない。
開口面２Ｃは外周２Ｃ１の一部に幅Ｄ１の切り欠き２Ｄを設け、切り欠き２Ｄを他方の開口面２Ｃの外周２Ｃ１まで延長させて開口部２Ｅを形成する。
図２（ａ）に示すように、側面からみた開口部２Ｅが円弧形状になるようにゴム製部材２を両端の開口面２Ｃ間で湾曲させている。
図２（ａ）では、両端の開口面２Ｃが９０度の角度を形成するようにゴム製部材２を湾曲させている。
以上の構成とすることで、パイプフレーム１１Ａのコンター部１１Ａ１に対して福祉機器のパイプフレーム保護具１を、開口部２Ｅを広げながらコンター部１１Ａ１の形状（曲がり具合）に合わせて装着することができる。かつゴム製部材２の弾性を利用した密着性により、福祉機器のパイプフレーム保護具１をコンター部１１Ａ１に強固に装着することができる。
よって福祉機器のパイプフレーム保護具１を装着することで、福祉機器が金属部位に接触してもパイプフレーム１１Ａのコンター部１１Ａ１の塗装の剥がれ、傷やへこみ等の変形を防ぐことができる。
【００３２】なお両端の開口面２Ｃが形成する角度は、福祉機器のパイプフレーム保護具１が装着されるコンター部１１Ａ１の形状（曲がり具合）やコンター部１１Ａ１の保護したい部位に応じて適宜変更してもかまわない。
また図２（ａ）では、開口部２Ｅがコンター部１１Ａ１の曲がり径の小さい方の部位に接するように湾曲させているが、コンター部１１Ａ１の曲がり径の大きい方の部位に接するように湾曲させてもかまわない。
【００３３】本発明に係る福祉機器のパイプフレーム保護具１は図１（ａ）に示すように、開口面２Ｃの切り欠き２Ｄから近い部位の径Ｒ１を切り欠き２Ｄから遠い部位の径Ｒ２よりも小さくしている。
この構成とすることで、開口面２Ｃの切り欠き２Ｄから近い部位は切り欠き２Ｄから遠い部位より強固にコンター部１１Ａ１に装着することができる。よって福祉機器のパイプフレーム保護具１を更に、福祉機器が金属部位に接触してもパイプフレーム１１Ａのコンター部１１Ａ１の塗装の剥がれ、傷やへこみ等の変形を防ぐことができる。かつコンター部１１Ａ１からの脱落を防ぐことができる。
【００３４】なお図１（ａ）は開口面２Ｃの垂直方向の上半分をＲ２とし下半分をＲ１とした場合を示しているが、Ｒ２とＲ１の切り替わりの位置は、コンター部１１Ａ１の塗装の剥がれ、傷やへこみ等の変形を防ぎたい度合い、コンター部１１Ａ１からの脱落を防ぎたい度合いに応じて適宜変更してもかまわない。
またＲ１をＲ２より小さくするのは両端の開口面２Ｃに対して行っても、片方の開口面２Ｃに対して行ってもかまわない。両端の開口面２Ｃに対して行うほうがパイプフレーム１１Ａのコンター部１１Ａ１の塗装の剥がれ、傷やへこみ等の変形、コンター部１１Ａ１からの脱落を防ぐ効果は大きいが、片方の開口面２Ｃに対して行う場合でもこれらの効果は得られる。
【００３５】本発明に係る福祉機器のパイプフレーム保護具１は図１（ａ）に示すように、開口面２Ｃの切り欠き２Ｄの近傍の縁（リップ部）２Ｃ３のゴム製部材２の肉厚を厚くしている。
ここでいう肉厚とは開口面２Ｃの外周２Ｃ１と内周２Ｃ２との間のゴム製部材２の厚さのことであり、厚くするとは他の開口面２Ｃの厚さより厚くするということである。
この構成とすることで、コンター部１１Ａ１からの脱落を防ぐことができる。
よって福祉機器のパイプフレーム保護具１を更に、コンター部１１Ａ１からの脱落を防ぐことができる。
【００３６】なお図１（ａ）には示していないが、縁（リップ部）２Ｃ３は肉厚を厚くしたうえで、福祉機器のパイプフレーム保護具１がコンター部１１Ａ１に装着しやすくするように略円形形状の把持部としてもかまわない。
【００３７】本発明に係る福祉機器のパイプフレーム保護具１は図１（ａ）、図２（ａ）に示すように、補強部材３をゴム製部材２の内周２Ｂに接するように設けている。
図１（ｂ）は本発明に係る福祉機器のパイプフレーム保護具の補強部材の平面図である。図に示すように、補強部材３はリング形状で外周３Ａの一部に幅Ｄ２の開口部３Ｃを有している。
補強部材３の材質としては板鋼が好ましいが、これに限定されるものではない。
補強部材３のゴム製部材２の内周２Ｂへの取り付けは、好ましくは成形インサート加工で行うのがよいが、これに限定されるものではない。
この構成とすることで、補強部材３の弾性を利用した密着性により、ゴム製部材２をコンター部１１Ａ１に、より強固に装着することができる。
よって福祉機器のパイプフレーム保護具１を更に、福祉機器が金属部位に接触してもパイプフレーム１１Ａのコンター部１１Ａ１の塗装の剥がれ、傷やへこみ等の変形を防ぐことができる。かつコンター部１１Ａ１からの脱落を防ぐことができる。
【００３８】なお図１（ａ）、図２（ａ）は補強部材３を２個設けた場合を示しているが、コンター部１１Ａ１の塗装の剥がれ、傷やへこみ等の変形を防ぎたい度合い、コンター部１１Ａ１からの脱落を防ぎたい度合いに応じて適宜変更してもかまわない。補強部材３を多く設けるほうがパイプフレーム１１Ａのコンター部１１Ａ１の塗装の剥がれ、傷やへこみ等の変形、コンター部１１Ａ１からの脱落を防ぐ効果は大きいが、１個のみ設ける場合でもこれらの効果は得られる。
【００３９】本発明に係る福祉機器のパイプフレーム保護具１は図１（ａ）、図２（ａ）に示すように、補強部材３を開口面２Ｃの近傍に設けている。
この構成とすることで、ゴム製部材２の開口部２Ｃの端がコンター部１１Ａ１に、より強固に装着することができる。特に両端の開口面２Ｃの近傍に設けることで、ゴム製部材２の開口部２Ｅの両端がコンター部１１Ａ１に、より強固に装着することができる。
よって福祉機器のパイプフレーム保護具１を更に、福祉機器が金属部位に接触してもパイプフレーム１１Ａのコンター部１１Ａ１の塗装の剥がれ、傷やへこみ等の変形を防ぐことができる。かつコンター部１１Ａ１からの脱落を防ぐことができる。
【００４０】なお図１（ａ）、図２（ａ）は２個の補強部材３をそれぞれ開口面２Ｃの近傍に設けた場合を示しているが、１個のみ開口面２Ｃの近傍に設ける場合でも、パイプフレーム１１Ａのコンター部１１Ａ１の塗装の剥がれ、傷やへこみ等の変形、コンター部１１Ａ１からの脱落を防ぐ効果は得られる。
【００４１】本発明に係る福祉機器のパイプフレーム保護具１は図２（ｂ）に示すように、補強部材３の内周３Ｂの表面の位置をゴム製部材２の内周２Ｂの表面よりも外周２Ａ側になるように設けている。
図２（ｂ）は本発明に係る福祉機器のパイプフレーム保護具の補強部材の内周表面の位置を表す拡大図であり、図２（ａ）における補強部材の内周表面の位置を拡大したものである。
この構成とすることで、ゴム製部材２の弾性を利用した密着性をより高められるため、ゴム製部材２をコンター部１１Ａ１に、より強固に装着することができる。
よって福祉機器のパイプフレーム保護具１を更に、福祉機器が金属部位に接触してもパイプフレーム１１Ａのコンター部１１Ａ１の塗装の剥がれ、傷やへこみ等の変形を防ぐことができる。かつコンター部１１Ａ１からの脱落を防ぐことができる。
【００４２】なお補強部材３の内周３Ｂの表面位置をゴム製部材２の内周２Ｂの表面よりもどの程度外周２Ａ側になるようにするか（オフセット値）は、コンター部１１Ａ１の塗装の剥がれ、傷やへこみ等の変形を防ぎたい度合い、コンター部１１Ａ１からの脱落を防ぎたい度合いに応じて適宜変更してもかまわない。
【００４３】また図２（ｂ）は補強部材３の内周３Ｂの表面の位置をゴム製部材２の内周２Ｂの表面よりも外周２Ａ側になるように設けた場合を示しているが、ゴム製部材２の内周２Ｂの表面と同一に設ける場合でも、パイプフレーム１１Ａのコンター部１１Ａ１の塗装の剥がれ、傷やへこみ等の変形、コンター部１１Ａ１からの脱落を防ぐ効果は得られる。
【００４４】本発明に係る福祉機器のパイプフレーム保護具１は図１（ａ）、（ｂ）に示すように、補強部材３の開口部３Ｃの幅Ｄ２を開口面２Ｃの切り欠き２Ｄの幅Ｄ１よりも広くしている。この構成とすることで、福祉機器のパイプフレーム保護具１をコンター部１１Ａ１に装着する際に開口部２Ｅを広げることが容易になるため作業性向上をはかることができる。
よって福祉機器のパイプフレーム保護具１を更に、コンター部１１Ａ１に装着する際の作業性向上をはかることができる。
【００４５】なおＤ２をＤ１よりどの程度広くするかは、福祉機器のパイプフレーム保護具１をコンター部１１Ａ１に装着する際の作業性向上の度合いに応じて適宜変更してもかまわない。
【００４６】図３は本発明に係る福祉機器のパイプフレーム保護具を歩行補助器のコンター部へ装着した状態を表す図（写真）である。
福祉機器のパイプフレーム保護具１は使用または運搬する前にコンター部１１Ａ１に装着する。コンター部１１Ａ１をアルコール、メチルエチルケトンまたは中性洗剤菜等で清拭してから装着を行う。
【００４７】以上から本発明に係る福祉機器のパイプフレーム保護具１によれば、コンター部１１Ａ１に強固に装着されることで、福祉機器のパイプフレーム１１Ａ、特にコンター部（曲げ加工部）１１Ａ１の塗装の剥がれ、傷やへこみ等の変形を防ぐことができる。
よって塗装の上塗り、傷やへこみ等の補修に要する時間、コストを削減することができる。
これは歩行補助器を外観に問題のないきれいなレンタル商品として貸し出す業者にとって大きなメリットとなる。
加えて、福祉機器のパイプフレーム保護具１のコンター部１１Ａ１からの脱落を防ぐこと、コンター部１１Ａ１に装着する際の作業性向上をはかることができる。
【符号の説明】
【００４８】１  福祉機器のパイプフレーム保護具
２  ゴム製部材
２Ａ  外周
２Ｂ  内周
２Ｃ  開口面
２Ｃ１  外周
２Ｃ２  内周
２Ｃ３  縁（リップ部）
２Ｄ  切り欠き
２Ｅ  開口部
３  補強部材
３Ａ  外周
３Ｂ  内周
３Ｃ  開口部
１１  歩行補助器
１１Ａ  パイプフレーム
１１Ａ１  コンター部（曲げ加工部）
１１Ｂ  前輪
１１Ｃ  塗装の剥がれ及び傷
Ｄ１  切り欠きの幅
Ｄ２  補強部材の開口部の幅
Ｒ１  切り欠きから近い部位の径
Ｒ２  切り欠きから遠い部位の径
【図１】
2016067865.tif 000003
【図２】
2016067865.tif 000004
【図３】
2016067865.tif 000005
【図４】
2016067865.tif 000006
【図５】
2016067865.tif 000007